(57)【要約】【課題】青果等が入っている樹脂パックを、中仕切によりトレー底面より浮かせた状態に安定性よく支持できるトレーを提案する。【解決手段】箱の中に樹脂パックを詰め合わせることができる中仕切板Ｂを設ける。樹脂パックの支持片２１ａ，２１ｂが前記中仕切板の下縁から樹脂パックの短面のフランジに沿わせて延伸されるように形成されていると共にトレーの底面から内側に向け一定の傾斜角を保持できるよう形成されおり、斜めに傾斜する該支持片の上縁で樹脂パックの短面のフランジを載架支持するように形成されている。【選択図】  図４
2008254746.tif 000002
【特許請求の範囲】
【請求項１】
一枚の段ボール等の紙シートから組立てられ、一方の側壁と他方の側壁が直交するように連接した直方体状の箱本体の中に中仕切板を備え、該中仕切板と側壁とで形成された区画に樹脂パックを詰め合わせることができるようにしたトレー状の包装箱であって、
樹脂パックの支持片が前記中仕切板の下縁から樹脂パックの短面のフランジに沿って延伸されるように形成されていると共にトレーの底面から内側に向け一定の傾斜角度を保持できるよう形成されており、該支持片の上縁が樹脂パックの短面のフランジを載架支持するように形成されていることを特徴とするトレー状の宙吊り包装箱。
【請求項２】
前記樹脂パックの支持片は、前後側壁の中程に配置した中仕切板の両端部において内側に傾斜する折れ線を介して連接され、かつ該支持片と前後側壁との間に、樹脂パックの短面のフランジを載架支持できる大きさの隙間が形成されることを特徴とする請求項１に記載のトレー状の宙吊り包装箱。
【請求項３】
前記中仕切板が、前後側壁の中程に配置する縦仕切板と該縦仕切板に直交するように左右側壁間に配置する横仕切板とから形成されていることを特徴とする請求項１または請求項２記載のトレー状の宙吊り包装箱。
【請求項４】
前記横仕切板はトレー底板を切り起して形成されていることを特徴とする請求項１ないし請求項３の何れか１項に記載のトレー状の宙吊り包装箱。
【発明の詳細な説明】
【技術分野】
【０００１】
本発明は、イチゴやさくらんぼなどを入れた青果用樹脂パックを運搬するに好適なトレー状の包装箱に関する。特に、樹脂パックの短縁を仕切に引っ掛け支持することにより樹脂パックの底を浮かせて、トレーの底面に対し、直接青果の重みが掛かるのを避けることができるようにしたトレー状の包装箱に関する。
【背景技術】
【０００２】
従来、例えばイチゴを収納した樹脂パックを市場や販売店に出荷する際には、上面開口型の段ボール製包装箱（トレー状包装箱）に樹脂パックを複数個収納し、このトレーで樹脂パック内のイチゴが傷まないように運搬していた。トレーの内部に下記文献に示されるように仕切板をセットし、その仕切板で形成された区画内にイチゴ樹脂パックを置いて使用しているが、最近は、詰め合わせた樹脂パックをトレーの底面より浮かせた状態に支持する機構を設けているものがあった。
【０００３】
イチゴを入れるパックＰは、一般に、周縁にフランジを有する薄い樹脂製の矩形の容器７００が用いられている（図５参照）。この容器は押圧や衝撃に弱く容易に変形されやすいものである。このような樹脂パックＰをトレーの底面に直接置くと、運搬時の振動やイチゴの荷重等により樹脂パック底が押されて変形し、樹脂パック内のイチゴが荷痛みする傾向がある。そこで、輸送時のイチゴの荷痛みを軽減するため、下記文献に示されるように、トレーの側壁内面または仕切の一部により、パック支持片を形成し、そのパック支持片により、樹脂パックの周縁を載架支持するものが下記文献のように提案されている。
【０００４】
【特許文献１】特許第３８１３５９０号公報（中央紙器）
【特許文献２】特開２００４−２５００９８号公報（王子）
【特許文献３】特開２００4−２９２０５４号公報（レンゴー）
【特許文献４】登録実用新案第３１２７５２５号公報（児島段ボール）
【発明の開示】
【発明が解決しようとする課題】
【０００５】
しかし、文献１に示すパック支持片５Ａ，２２Ａは、トレーの一方の側壁の両端部おいて拡開されるように形成され、前記支持片の先端部は他方の側壁に当接するように構成されている（図７参照）。
イチゴの樹脂パックは、通例、図6のように、透明なラップフイルムｆ  を樹脂パックの短面を除いて、フランジ上からはち巻き状（スリーブ状）に樹脂パックにまきつけて接着固定して運用されている。そのため、フィルム包装された樹脂パックＰを前記支持片５Ａ，２２Ａで宙吊り状態に支持する場合、パック支持片５Ａ，２２Ａと樹脂パックPとの引っかかりが充分でなく、不安定であるという問題点を有していた。すなわち、前記支持片５Ａ，２２Ａは、トレー側壁または仕切から曲折される小片であり、その小片の先端部が壁に当接して曲折角度を維持する構成であったので、その曲折角度は一定でなかった。そしてこの小片５Ａ，２２Ａは樹脂パックの短面のフランジ側の４隅を支持するだけであったから、樹脂パックの支持力が充分でなかった。
【０００６】
上記のような実情に鑑み、本発明の目的とするところは、樹脂パックの上からラップフィルムをまきつけ包装したパックＰを簡単な構成で、安定性よく支持できるトレーを提案するものである。
本発明のトレーは、箱本体内に設ける中仕切板に、樹脂パックの短面のフランジを宙吊り支持できる大きな支持片を設け、その支持片を樹脂パックの短面のフランジに沿わせて延伸させ、かつトレーの底面から内側に向けて一定の傾斜角度を保持できるように形成することにより、樹脂パックを安定よく支持可能な支持構造を提案するものとなっている。
【課題を解決するための手段】
【０００７】
上記課題を解決するために、請求項１の発明は、
一枚の段ボール等の紙シートから組立てられ、一方の側壁と他方の側壁が直交するように連接した直方体状の箱本体の中に中仕切板を備え、その中仕切板と側壁で形成された区画に樹脂パックを詰め合わせることができるようにしたトレー状の包装箱であって、
樹脂パックの支持片が前記中仕切板の下縁から樹脂パックの短面のフランジ沿って延伸されるように形成されていると共にトレーの底面から内側に向け一定の傾斜角度を保持できるよう形成されおり、該支持片の上縁が樹脂パックの短面のフランジを載架支持するように形成されていることを特徴とするトレー状の宙吊り包装箱である。
【０００８】
また請求項２の発明は、次の通りである。
前記樹脂パックの支持片は、前後側壁の中程に配置した中仕切板の両端部において内側に傾斜する折れ線を介して連接され、かつ該支持片は前後側壁との間に、樹脂パックの短面のフランジを載架支持できる大きさの隙間が形成されることを特徴とする請求項１に記載のトレー状の宙吊り包装箱である。
【０００９】
請求項３の発明は次の通りである。
前記中仕切板が、前後側壁の中程に配置する縦仕切板と該縦仕切板に直交するように左右側壁間に配置する横仕切板とから形成されていることを特徴とする請求項１または請求項２記載のトレー状の宙吊り包装箱である。
【００１０】
請求項4は次の通りである。
前記横仕切板はトレー底板を切り起して形成されていることを特徴とする請求項１ないし請求項３の何れか１項に記載のトレー状の宙吊り包装箱である。
【発明の効果】
【００１１】
本発明は、トレー内に投入した中仕切板の下縁から樹脂パックの短面のフランジに沿わせて延伸されるように樹脂パックの支持片が形成されている。この樹脂パックの支持片はトレーの底面から内側に向けて常に一定の傾斜角度を保持できる。従って、その支持片の上縁で、ラップフィルムをまきつけて包装した樹脂パックＰを、トレーの底から浮かせた状態に安定良く保持することができる。
【発明を実施するための最良の形態】
【００１２】
以下、本発明の実施形態を具体的に説明する。
図1と図２は、本発明の実施例の箱本体Ａのブランクとその内部に設置する中仕切板Ｂを示す展開図である。図３は組立図である。この包装箱は、一例として樹脂パックを４パック詰め合わせるための上面開口形包装箱の典型例を示したものである。
この包装箱と中仕切板は、いずれも廃棄処理並びにリサイクル処理の容易な段ボール等の紙を素材として作製される。通例、断熱性に優れたＡフルート又はＢフルートの段ボールシートから形成されるが、Ｅフルート又はＧフルートと呼ばれている薄い段ボールシートを使用することもできる。また段ボールに代え、一般紙器用の板紙を素材としても構わない。
【００１３】
まず図１の展開図に基いて説明する。符号１は矩形状の底板を示し、符号２は前記底板１の相対する短側辺Ｌに連接した短側壁、３は前記短側壁２の両端の折線Ｍを介して設けた折込片、４は底板１の対向した長側辺Ｎに連接した第１の長側壁、５はさらにその外側に２重折れ線Ｏを介して連接する第２の長側壁、６は第１と第２の長側壁の間に設けた細長い縁板である。
【００１４】
第２の長側壁５の先端部には左右一対の突起７を設けると共に、前記底板１の上下端部に突起７に対応した左右一対の掛止孔８を形成する。また前記第１と第２の長側壁４、５の間には、縁板６を跨ぐ一対の切線１１ａ、１１ｂを左右２組設け、かつ各組の両切線１１ａ、１１ｂの間にそれぞれの切線の基部をつなぐように折線１２ａと１２ｂを設け、更に両折線１２ａと１２ｂの中央に折線１２ｃを設けて、積み重ね用の突起片１３を形成している。この突起片１３と前記掛止孔８とは嵌合できるように対応している。
【００１５】
なお図１において、折込片３には、組立て時に上辺となる部分に、補助折線９を設けて組立時に縁板６に内側に重なる支持片１０が形成されている。
また底板１の中央部において前後の長側辺Ｎ間に互いに向き合うように切り起すことができる一対のコ字形切込み１４ａ、１４ｂを形成する。そのコ字形切込みの根本に折線１５ａ、１５ｂを短側壁２と平行に設けることで、底板１を切起こして、横仕切板１６ａ、１６ｂを一体に形成している。なお横仕切板１６ａ、１６ｂの中央に、後記の縦仕切板を挿入する嵌合溝１７ａ、１７ｂが形成されている。
【００１６】
図２は箱本体の中に設ける中仕切板Ｂを示す。この中仕切板Ｂは中央の折れ線Ｊを挟んで２つ折にし、二枚重ねにして使用するもので、一対の縦仕切板２０を形成する。縦仕切板２０は第１の長側壁４と略同じ大きさの長方形に形成されており、直方体状の箱本体の中に設置して縦仕切板２０が第1の長側壁と平行になるようにする（図３参照）。また縦仕切板２０の両端には、樹脂パックの支持片２１ａ，２１ｂが一定の傾斜角α有する折れ線（傾め罫線）Ｋを介して連接されている。この斜めの折れ線Ｋは、図２にも示されているように、縦仕切板２０の長縁の両端部から中央の折れ線Ｊに向かって収束するように内向き斜め方向に伸びている。なお、符号２２ａ，２２ｂは中仕切板Bの上下の縁に形成した嵌合溝であり、前記横仕切板１６ａ、１６ｂの中央の嵌合溝１７ａ、１７ｂと噛み合うように形成されている。
【００１７】
上記ブランクＡとＢから箱本体と中仕切板を組立てるには、図３に示すように、底板１に対して左右短側壁２を立ち上げた後、その両側壁に連接した折込片３を内側に折り込んだ後、底板1から前後長側壁４を起こし、長側壁５で折込片３を巻き込むように折り曲げたのち、長側壁５の先端部の掛け止め突起７を底板１の掛け止孔８に挿入して固定する。
【００１８】
次に、底板１の中央部に設けた一対の横仕切板１６ａ、１６ｂを折線１５ａ、１５ｂにより底板１を切起こして、短側壁２と平行に設ける。続いて、中仕切板Ｂは中央折れ線Ｐを挟んで２つ折にして二枚重ねにする。このとき中央折れ線Ｊ部分を上にして起こし、続いて縦仕切板２０の両端から内向きに傾斜する折れ線Ｋに沿って樹脂パックの支持片２１ａ，２１ｂをＨ字形になるように強制的に折り曲げる。
この状態において、中仕切板Bを箱本体内に投入し、中仕切板の下縁に形成した嵌合溝２２ａ，２２ｂを、前記横仕切板１６ａ、１６ｂの中央の嵌合溝１７ａ、１７ｂと噛み合うように挿入する。このようにすると、箱の中はイチゴなどの樹脂パックＰ（図６参照）を一例として４パック詰め合わせるための区画が形成される。
【００１９】
図３及び図４に示すとおり、箱本体Ａの中にＨ型に広げた仕切板Ｂを投入すると、樹脂パックの支持片２１ａ，２１ｂは箱本体の底面から内側に向けて出っ張り、本体の短側壁２と支持片２１ａ，２１ｂとの間には隙間Ｓが形成されることとなる。この支持片２１ａ，２１ｂはトレーの底面から内側に向けて常に一定の傾斜角度αを保持できる。従って、内側に出っ張った支持の上縁で、ラップフィルムをまきつけて包装した樹脂パックＰを短面フランジを、トレーの底から浮かせた状態に保持することができる。
【００２０】
上記第１の実施形態は本体の底面から横仕切板を切起こして設けた例である。しかし、横仕切板を本体とは別体に形成し、この横仕切板を縦仕切材に十字状をなすように組み合わせてもよい。
【００２１】
以上説明したように本発明の中仕切Ｂは、イチゴに限らず、ぶとう、さくらんぼ、いちじく、びわ、プラム等の青果のほか、卵や菓子などの壊れやすいものを出荷し運搬するときに、包装樹脂パックを輸送中宙吊り状態に浮かせることができるから、底面の圧迫による果物の荷痛みを軽減することを可能となる。また本発明によれば、緩衝材を必要としないため包装コストを削減できる。
【図面の簡単な説明】
【００２２】
【図１】本発明の一実施例の箱本体Ａの展開図である。
【図２】図１の箱に使用する中仕切板Ｂの展開図である。
【図３】図１の箱の組立図である。
【図４】青果用樹脂パックの宙吊り支持状態を示す拡大断面図である。
【図５】樹脂パックの一例を示した断面図である。
【図６】ラップフィルムで包装したイチゴ樹脂パックの斜視図である
【図７】従来の包装箱の一例を示す平面図である。
【符号の説明】
【００２３】
Ａ  箱本体、  Ｂ  中仕切板
１  底板  ２  短側壁  ３  折込片  ４  第１の長側壁  ５  第２の長側壁  ６  縁板
７  突起  ８  掛け止め孔  ９補助折れ線  １０支持片
１１ａ、１１ｂ  切線  １２ａ，１２ｂ，１２ｃ  折線  １３  折込片
１４ａ，１４ｂ  コ字形切込み  １５ａ，１５ｂ  折れ線  １６ａ，１６ｂ  横仕切板  
１７ａ，１７ｂ  嵌合溝  ２０  縦仕切板  ２１ａ、２１ｂ  パック支持片  ２２ａ，２２ｂ  嵌合溝
Ｐ 樹脂パック
【図１】
2008254746.tif 000003
【図２】
2008254746.tif 000004
【図３】
2008254746.tif 000005
【図４】
2008254746.tif 000006
【図５】
2008254746.tif 000007
【図６】
2008254746.tif 000008
【図７】
2008254746.tif 000009